【手続補正書】
【提出日】平成18年5月29日(2006.5.29)
【手続補正１】
【補正対象書類名】明細書
【補正対象項目名】全文
【補正方法】変更
【補正の内容】
【書類名】      明細書
【発明の名称】  椅子
【特許請求の範囲】
【請求項１】  着座部の後部に、背もたれフレームを立設し、この背もたれフレームの前面に取り付けられる背もたれ板を、上部シェルと下部シェルとを有するものとし、前記上部シェルの上部と下部シェルの下部とを、それぞれ前記背もたれフレームの上部と下部とに取り付けるとともに、前記上部シェルの下部と下部シェルの上部とを、前後方向に弾性撓曲可能とした折れ曲がり部を介して互いに連結したことを特徴とする椅子。
【請求項２】  上部シェルの上部と下部シェルの下部とのいずれか一方を、背もたれフレームの上部または下部に、ほぼ上下方向にスライド可能として取り付けた請求項１記載の椅子。
【請求項３】  上部シェルの上部と下部シェルの下部との少なくともいずれか一方を、背もたれフレームの上部または下部に、前後方向に傾動可能として取り付けた請求項１または２記載の椅子。
【請求項４】  上部シェルと下部シェルとの間に、１個または複数個の中間部シェルを設け、前記上部シェルと中間部シェルと下部シェルとの相互の間を、前後方向に弾性撓曲可能とした折れ曲がり部を介して互いに連結した請求項１〜３のいずれかに記載の椅子。
【請求項５】  折れ曲がり部を、側面視波形とした請求項１〜４のいずれかに記載の椅子。
【請求項６】  上部シェルの上部または下部シェルの下部に設けた枢軸を、背もたれフレームの上部または下部に設けたほぼ上下方向を向くスライド溝に嵌合し、かつ、このスライド溝を前方に凸となるように湾曲させた請求項１〜５のいずれかに記載の椅子。
【請求項７】  背もたれ板を、弾性を有する硬質合成樹脂材料等を成形して、少なくとも上部シェルと下部シェルと折れ曲がり部とが一体となるように形成した請求項１〜６のいずれかに記載の椅子。
【請求項８】  背もたれフレームを、着座部の下面に設けられた支基付近の支点を中心として傾動可能とした請求項１〜７のいずれかに記載の椅子。
【請求項９】  着座部の後部に、背もたれフレームを立設し、この背もたれフレームの前面に取り付けられる背もたれ板を、上部シェルと下部シェルとから形成し、前記背もたれフレームの上部に、前記上部シェルの上端部をスライド可能に取り付けるとともに、前記下部シェルの下端部を背もたれフレームの下部に取り付け、上部シェルと下部シェルとの間には折れ曲がり部を形成し、前記背もたれ板が後方に押圧されたときに、弾性力によって前記上部シェルは、前記下部シェルに対して前記折れ曲がり部を境に前方へ傾動し、前記背もたれ板の上部から下部にかけて連続する屈曲面を形成するようにしたことを特徴とする椅子。
【請求項１０】  背もたれ板と背もたれフレームとの間に、前記背もたれ板の折れ曲がり部と等高位置で屈撓可能で、かつ前記背もたれフレーム及び前記背もたれ板の少なくとも一方に対してスライド可能な補強材を介在させた請求項１〜９のいずれかに記載の椅子。
【請求項１１】  
着席者の背中の荷重が掛からないときの背もたれ板の側面形状を、中間部が後方に凹入するように屈曲する形状とした請求項１〜１０のいずれかに記載の椅子。
【発明の詳細な説明】
【０００１】
【発明の属する技術分野】
本発明は、パーソナルコンピュータ等のＯＡ機器の操作に適するとともに、リクライニング時に安定した姿勢を確保できるようにした椅子に関する。
【０００２】
【従来の技術】
パーソナルコンピュータ等のＯＡ機器を使用したデスクワークにおける様々な姿勢や、作業姿勢の変化に対応して、適切に体を支持するために、座面や背もたれを、傾斜又はリクライニングさせる機構を搭載した椅子は公知である。
【０００３】
このような椅子には、背もたれ部分が後方へ傾斜したときに、背もたれの上部を後傾角度と常時同じ角度に保つようにしたもの、或いは、背もたれ部分のリクライニング角度に拘わらず、背もたれの上部を常に同じ傾斜角度を保つようにしたパラレルリンク機構を内蔵したものがある。
【０００４】
【発明が解決しようとする課題】
しかし、前述した従来の椅子のうち、前者では、後傾した時に、頭部の位置が後方に大きく移動し、パーソナルコンピュータのディスプレィ等が、見づらくなるという難点がある。即ち、背もたれにもたれ掛かった状態では、自然な視線の方向が水平よりも上方を向いてしまい、机上のモニタ画面を見る角度として、一般に適当であると言われている水平から５゜〜10゜下方を見るような姿勢を、従来の椅子で無理に採ろうとすると、頭部を前に起こさなければならず、肩こりや首の疲れの原因となる。
【０００５】
また、無理に頭部を前方へ起こした場合には、背もたれの形状と、背中のカーブとが合わず、背もたれから身体が浮いてしまう部分が生じるため、姿勢が不安定な状態となり、その結果、安定した後傾姿勢を採ることができなくなり、疲労の原因となる。
【０００６】
前述した従来の椅子のうち、後者では、背もたれのリクライニング角度に拘わらず、背もたれの上部を常に同じ傾斜角度に保つため、背もたれのリクライニング時に、着席者は、猫背姿勢を余儀なくされ、圧迫感を感じるようになる。
【０００７】
本発明は、従来の技術が有する上述のような問題点に鑑みてなされたもので、さまざまに姿勢が変化する作業を行う場合に、常に適切な姿勢を保持することができるようにした椅子を提供することを目的としている。
また、パーソナルコンピュータ等のＯＡ機器を使用する際に、視線をディスプレィに向けながらもリラックスした姿勢を採ることのできる椅子を提供することを目的としている。
【０００８】
【課題を解決するための手段】
本発明は、次のようにして上記課題を解決している。
(１) 着座部の後部に、背もたれフレームを立設し、この背もたれフレームの前面に取り付けられる背もたれ板を、上部シェルと下部シェルとを有するものとし、前記上部シェルの上部と下部シェルの下部とを、それぞれ前記背もたれフレームの上部と下部とに取り付けるとともに、前記上部シェルの下部と下部シェルの上部とを、前後方向に弾性撓曲可能とした折れ曲がり部を介して互いに連結する。
【０００９】
(２) 上記(１)項において、上部シェルの上部と下部シェルの下部とのいずれか一方を、背もたれフレームの上部または下部に、ほぼ上下方向にスライド可能として取り付ける。
【００１０】
(３) 上記(１)または(２)項において、上部シェルの上部と下部シェルの下部との少なくともいずれか一方を、背もたれフレームの上部または下部に、前後方向に傾動可能として取り付ける。
【００１１】
(４) 上記(１)〜(３)項のいずれかにおいて、上部シェルと下部シェルとの間に、１個または複数個の中間部シェルを設け、前記上部シェルと中間部シェルと下部シェルとの相互の間を、前後方向に弾性撓曲可能とした折れ曲がり部を介して互いに連結する。
【００１２】
(５) 上記(１)〜(４)項のいずれかにおいて、折れ曲がり部を、側面視波形とする。
【００１３】
(６) 上記(１)〜(５)項のいずれかにおいて、上部シェルの上部または下部シェルの下部に設けた枢軸を、背もたれフレームの上部または下部に設けたほぼ上下方向を向くスライド溝に嵌合し、かつ、このスライド溝を前方に凸となるように湾曲させる。
【００１４】
(７) 上記(１)〜(６)項のいずれかにおいて、背もたれ板を、弾性を有する硬質合成樹脂材料等を成形して、少なくとも上部シェルと下部シェルと折れ曲がり部とが一体となるように形成する。
【００１５】
(８) 上記(１)〜(７)項のいずれかにおいて、背もたれフレームを、着座部の下面に設けられた支基付近の支点を中心として傾動可能とする。
【００１６】
(９) 着座部の後部に、背もたれフレームを立設し、この背もたれフレームの前面に取り付けられる背もたれ板を、上部シェルと下部シェルとから形成し、前記背もたれフレームの上部に、前記上部シェルの上端部をスライド可能に取り付けるとともに、前記下部シェルの下端部を背もたれフレームの下部に取り付け、上部シェルと下部シェルとの間には折れ曲がり部を形成し、前記背もたれ板が後方に押圧されたときに、弾性力によって前記上部シェルは、前記下部シェルに対して前記折れ曲がり部を境に前方へ傾動し、前記背もたれ板の上部から下部にかけて連続する屈曲面を形成するようにする。
【００１７】
(１０) 上記(１)〜(９)項のいずれかにおいて、背もたれ板と背もたれフレームとの間に、前記背もたれ板の折れ曲がり部と等高位置で屈撓可能で、かつ前記背もたれフレーム及び前記背もたれ板の少なくとも一方に対してスライド可能な補強材を介在させる。
(１１) 上記(１)〜(１０)項のいずれかにおいて、着席者の背中の荷重が掛からないときの背もたれ板の側面形状を、中間部が後方に凹入するように屈曲する形状とする。
【００１８】
【発明の実施の形態】
次に、本発明に係る椅子の実施形態を、添付図面を参照しながら説明する。
【００１９】
図１は、本発明の第１の実施形態の椅子の要部である背もたれ部分の構造を示した分解斜視図である。同図に示すように、本実施形態の椅子の背もたれ部分は、背もたれフレーム(10)と、左右１対の補強材(12)(12)と、背もたれ板(14)と、背クッション材(16)等とから構成されている。
【００２０】
背もたれフレーム(10)は、左右１対のパイプ材からなり、その下端部である横杆部(10a)は、前方へ延出し、その先端は、図示しない座板に取り付けられ、後述する支基を支点として、後方へ傾動可能になっている。
【００２１】
一方、縦杆部(10b)は、２箇所でくの字状に屈曲して形成されている。左右の縦杆部(10b)(10b)の上部間及び下部間は、平行な２本の水平杆(18)(18)によって連結されている。
【００２２】
背もたれフレーム(10)の縦杆部(10b)の上部と下部との間には、左右に１対ずつ、弾性体の帯状の補強材(12)(12)が取り付けられている。このうち、縦杆部(10b)の上部には、角度可変となるように、１対のブラケット(20)(20)が各縦杆部(10b)を両側から挟み込むようにして枢支され、ブラケット(20)の前部には、鍔部を有するガイドピン(20a)が突設されている。ガイドピン(20a)には、補強材(12)の上部に穿設された上下方向に長いガイド孔(12b)が嵌合しており、補強材(12)の上端部を一定範囲で上下にスライド自在に案内している。
【００２３】
補強材(12)は、弾性を有する材料、例えば樹脂等で形成されており、一定の張力をもって、背もたれフレーム(10)の上部及び下部間を連結している。補強材(12)のほぼ中央部には、後部側にくの字状に屈曲した屈曲部(12a)が形成されており、背もたれ板(14)の取付時に、後述する両側の折れ曲がり部(14c)(14c)が、それぞれ嵌合して、後述するように、背もたれ板(14)と等高位置で屈撓可能になっている。
【００２４】
背もたれ板(14)は、上部シェル(14a)と下部シェル(14b)とを備え、折れ曲がり部(14c)を境に、その端部間が前後方向に屈撓可能に連結されている。下部シェル(14b)の下端は補強材(12)の下部に、上部シェル(14a)の上端は補強材(12)の上部にそれぞれ止めねじ(22)によって取り付けられ、これにより、補強材(12)は、背もたれ板(14)と、背もたれフレーム(10)との間に介在されることになる。
【００２５】
上部シェル(14a)の両側上端には、縦長のスライド孔(24)が穿設され、このスライド孔(24)は、前述したガイドピン(20a)と嵌合して上下動可能に案内されている。これにより、背もたれ板(14)は、補強材(12)が上下動すると、一体となって上下方向に移動するようになっている。
【００２６】
背もたれ板(14)は、通常、図１および図２に示すように、後述する背クッション材(16)の裏面のカーブと同一の、側面視において中間部が後方に凹入する円弧状の曲面とされているが、下部シェル(14b)に後ろ向きの力が加わると、折れ曲がり部(14c)を境に上部シェル(14a)が前方に傾動する弾性を有している。
【００２７】
背もたれ板(14)の表面には、背クッション材(16)が所定の手段によって取り付けられ、椅子の背部を形成している。
【００２８】
図２は、図１の椅子の背部を含む椅子全体を示す側面図である。図２に示すように、背もたれフレーム(10)の横杆部(10a)は、取付片(26)を介して、椅子の座板(28)に設けられた支基(30)に傾動可能に取り付けられている。座板(28)には、座クッション材(32)が取り付けられている。
【００２９】
次に、本実施形態の椅子の作用について説明する。
【００３０】
図３は、椅子の背もたれを後方に傾動させた状態を示している。背もたれ全体を後傾させると、背もたれ板(14)の下部シェル(14b)に力が加わり、支基(30)を支点として下部シェル(14b)が後傾する。下部シェル(14b)の後方への移動に伴って、図１で示したガイド孔(12b)をガイドピン(20a)が案内して、補強材(12)を下方へスライドさせ、さらに荷重がかかると、ガイド孔(12b)の内側上部にガイドピン(20a)が当接して、補強材(12)は、屈曲部(12a)で屈曲する。
【００３１】
すると、背もたれ板(14)は、補強材(12)が、その屈曲部(12a)が屈曲するのに伴って折れ曲がり部(14c)を境に、上部シェル(14a)が下部シェル(14b)に対して前傾し、背クッション材(16)の上部を前方に押し出す。即ち、図４に示すように、着席者が、通常の直立した姿勢から、図５に示す姿勢に移行した場合には、背中の上部を背クッション材(16)によって前方へ押して支持する。
【００３２】
このために、本実施形態の椅子によれば、着席者の後傾する度合いに応じて、上部シェル(14a)が前方に傾動する角度が変化し、着席者にとって最適な角度となるように背クッション材(16)の上部を前方に押し出して、着席者の背中の上部を支持する。これにより、例えば、パソコン等のＯＡ機器を使用する場合に、頭部を前に起こしてモニタ画面を見ながら、腰部より下の部分は後傾させるリラックスした姿勢を容易に採ることができる。
【００３３】
また、本実施形態の椅子において、図５に示すように、後傾姿勢を採った場合は、上部シェル(14a)が前方に傾動し、着席者の背中を押すように支持するので、着席者の視線は、ほぼ水平となる。このため、モニタ画面を見るのに適した水平から５゜〜10゜下方を見る姿勢を容易に採ることができる。
【００３４】
さらに、後傾姿勢の度合いに応じて、上部シェル(14a)の前方へ折れ曲がる角度が変わるので、圧迫感のない自然な座り心地が得られるとともに、姿勢変化に背クッション材(16)が滑らかに追従するため、背中のカーブにフィットして圧迫感のない座り心地を実現できる。
【００３５】
即ち、図６に示すように、背中を図５の曲げた状態から伸ばした状態にした場合には、上部シェル(14a)がなめらかに後方へ傾動して背中の動きに追従するため、着席者にとって最もリラックスした姿勢を容易に採ることができ、長時間、椅子に座った際の疲労が少なくなる。
【００３６】
加えて、椅子の左右に補強材(12)を設けてあるので、左右方向への体重移動に対しての背もたれ板(14)の追従性がよくなり、作業時の姿勢変化に柔軟に対応できる。さらに、椅子の背部の上方に、機構部を集中させてあるので、従来のものに比較して、小型軽量化が可能となるとともに、デザイン的にも洗練されたものとなる。
【００３７】
なお、本実施形態では、補強材(12)を、背もたれ板(14)と、背もたれフレーム(10)との間に介在させているが、補強材(12)を介在させることなく、背もたれ板(14)だけでも同様の機能を発揮させることができる。
【００３８】
本実施形態では、補強材(12)及び背もたれ板(14)の双方を、背もたれフレーム(10)の上端にスライド可能に取り付けているが、これらのうち、一方をスライド可能に取り付けるようにしてもよい。
【００３９】
図７〜図９は、本発明の第２の実施形態を示す。なお、上述の第１の実施形態におけるのと同一または対応する部材には同一の符号を付して図示してある。
【００４０】
第２の実施形態の背もたれフレーム(10)は、左右１対の金属または硬質合成樹脂製の杆材からなり、その下部の横杆部(10a)は前方へ延出し、その先端は支基(30)に取り付けられた、いわゆる背座シンクロリクライニングメカニズムに装着され、支基(30)付近の支点を中心として、後方へ傾動可能になっている。
【００４１】
左右１対の上部の縦杆部(10b)は、上下２箇所で互いに逆向きのくの字状に屈曲して形成されている。すなわち、下部では、前方に凸に、上部では、後方に凸に屈曲されている。
【００４２】
この縦杆部(10b)の上端部の前面には、上下方向のスライド溝(34a)を有する取付部(34)が前方に突出するようにして固定されている。スライド溝(34a)は、前方に凸の円弧状をなしており、その外側及び少なくとも上部が開放されている。
また、縦杆部(10b)の下部の屈曲部の前面には、上部が開口した水平軸受(36)が前方に突出するようにして固定されている。
【００４３】
背もたれ板(14)は、例えば弾性を有する硬質の合成樹脂材料の成型品であって、上部シェル(14a)と下部シェル(14b)とからなり、上部シェル(14a)と下部シェル(14b)との境目は、上述の縦杆部(10b)の後方に凸の上部の屈曲部と等高の位置とされている。この位置は、着座者の胸椎と腰椎との境目に当たる。
【００４４】
上部シェル(14a)の下端部と下部シェル(14b)の上端部とは、側面視で波形に形成されることにより、前後方向に弾性撓曲可能とした左右１対の折れ曲がり部(14c)により互いに連結されている。
【００４５】
この実施形態では、折れ曲がり部(14c)は、上下部シェル(14a)(14b)と一体成型されたものとして示されている。しかし、一般に、折れ曲がり部(14c)は、上下部シェル(14a)(14b)と別体であってもよい。また、折れ曲がり部(14c)は、左右両端の２列に限らず、複数列設けることができる。
【００４６】
上部シェル(14a)の上端には、互いに内方を向く左右１対の枢軸すなわち水平軸(38)が、側縁から後方に張り出すようにして形成されている。水平軸(38)は、前述の縦杆部(10b)の上端のスライド溝(34a)に嵌合されている。
【００４７】
下部シェル(14b)の両側縁部には、前述の縦杆部(10b)の水平軸受(36)に対応する位置に開口(40)が形成されており、その中央には、左右方向を向く水平軸(40a)が開口(40)を跨ぐようにして、また前方に突出するようにして形成されている。
【００４８】
組立に当たっては、縦杆部(10b)の上端のスライド溝(34a)に、上部シェル(14a)の上端の水平軸(38)を上方から嵌め込み、縦杆部(10b)の下部の水平軸受(36)に、下部シェル(14b)の水平軸(40a)を上方から落とし込んで弾性的に保持させる。このようにして、背もたれフレーム(10)に背もたれ板(14)を取り付け、次いで、背もたれ板(14)の表面及び裏面には、背クッション材(16)を所定の手段によって取り付け、椅子の背部を形成させている。なお、図７〜図９では、背もたれ板(14)の裏面側に取り付けられる背クッションの図示を省略している。
【００４９】
次に、本実施形態の作用について、図８及び図９を参照して説明する。
【００５０】
着席者が直立座位姿勢で座った状態（図８）から、背中で背もたれ部を後方へ押して、リクライニング姿勢に背もたれ全体を後傾させる時、背もたれ板(14)に作用する後向きの力により、背もたれフレーム(10)が支基(30)付近の支点を中心として後傾する（図９）。
【００５１】
また、着席者の背中による後方への押圧力は、上部シェル(14a)の下部と下部シェル(14b)の上部とにそれぞれ作用し、図９に示すように、折れ曲がり部(14c)が、上下部シェル(14a)(14b)の交差角が小となるように若干弾性撓曲させられ、その結果、下部シェル(14b)は背もたれフレーム(10)に対してさらに後傾させられ、また上部シェル(14a)は、背もたれフレーム(10)及び下部シェル(14b)に対しては前傾させられるが、絶対レベルでは、背もたれフレーム(10)や下部シェル(14b)の後傾角度より小さい角度をもって緩やかに後傾させられる。
【００５２】
この際、水平軸受(36)に支持された水平軸(40a)は、その位置で下部シェル(14b)と一体となって回動し、上部シェル(14a)の上端部に設けられた水平軸(38)は、背もたれ板(14)がく字状に屈曲して縮んだ分だけ、スライド溝(34a)に沿って下降する。
【００５３】
その他の作用、及び効果は、第１の実施形態のものと同様である。
【００５４】
図１０は、本発明の第３の実施形態を示す。
本実施形態においては、背もたれ板(14)を、上部シェル(14a)と下部シェル(14b)とそれらの間の１個または複数個(本実施形態では２個)の中間部シェル(14d)とにより形成し、上部シェル(14a)の上部に設けた水平軸(38)を、背もたれフレーム(10)の上部に設けた取付部(34)のスライド溝(34a)に、ほぼ上下方向にスライド可能、かつ前後方向に若干傾動可能として取り付け、下部シェル(14b)の下部を、背もたれフレーム(10)の下部に設けた水平軸受(36)に、水平軸(40a)をもって枢着することにより、前後方向に若干傾動可能として取り付け、上部シェル(14a)と中間部シェル(14d)と下部シェル(14b)との相互の間を、前後方向に弾性撓曲可能とした側面視前向きＵ字状の折れ曲がり部(14c)を介して互いに連結してある。
【００５５】
この第３の実施形態によると、リクライニング時に、背もたれ全体が着席者の背になじむように、ほぼ円弧状に屈曲するので、着座感がよいという利点がある。その他の構成、作用、及び効果は、第１の実施形態のものとほぼ同様である。
なお、背もたれ(14)は、着席者の背中の荷重が掛からない場合にも、図１０に実線で示すように、中間部が後方に凹入するように、予め屈曲させておくのがよい。
【００５６】
本発明によると、以上の他にも、幾多の変化変更が可能である。例えば上述の背もたれフレーム(10)の上部に、上部シェル(14a)の上端部を、前後方向に若干傾動可能として取り付け、かつ背もたれフレーム(10)の下部に、下部シェル(14b)の下部を、ほぼ上下方向にスライド可能、かつ前後方向に若干傾動可能として取り付けてもよい。
【００５７】
【発明の効果】
請求項１および９記載の発明によれば、着席者がリクライニング姿勢をとるとき、上部シェルは、後傾角度が背もたれフレームの後傾角度より小となるように、また下部シェルは、後傾角度が背もたれフレームの後傾角度より大となるように作用するので、例えば、パーソナルコンピュータ等のＯＡ機器を使用する場合に、頭部を前に起こしてモニタ画面を見ながら、腰部より下の部分は後傾させるリラックスした姿勢を容易にとることができる。
【００５８】
また、後傾姿勢を採った場合は、上部シェルも、背もたれフレームの後傾角度より小さい角度ではあるが、緩やかに後傾するので、従来のパラレルリンク装置を用いた、上部シェルの傾斜角度が変化しないようにしたもののように、着席者が猫背姿勢になることがない。
【００５９】
さらに、着席者がもたれ掛かる後傾姿勢の度合いに応じて、上部シェルの前方へ折れ曲がる角度が変わるので、圧迫感のない自然な座り心地が得られるとともに、姿勢変化に背クッション材が滑らかに追従するため、背中のカーブにフィットして圧迫感のない座り心地を実現できる。
【００６０】
すなわち、背中を曲げた状態から延ばした状態にした場合には、背中の動きに追従して、上部シェルの下部と下部シェルの上部とが滑らかに前方へ移動し、上部シェルと下部シェルとがほぼ一直線状に並び、着席者にとって最もリラックスした姿勢を容易にとることができ、長時間椅子に座った際の疲労が少なくなる。
【００６１】
請求項２記載の発明によれば、上部シェルの上部と下部シェルの下部とのいずれか一方を、背もたれフレームの上部または下部に対してほぼ上下方向にスライド可能としたことにより、背もたれ板のく字状屈曲時の上下端間の距離の変動を吸収し、背もたれ板が円滑にく字状に屈曲できるようになる。
【００６２】
請求項３記載の発明によれば、上部シェル及び下部シェルが前後方向に円滑に傾動することができるようになる。
【００６３】
請求項４記載の発明によれば、上部シェルと下部シェルとの間に、１個または複数個の中間部シェルを設け、前記上部シェルと中間部シェルと下部シェルとの相互の間を、前後方向に弾性撓曲可能とした折れ曲がり部を介して互いに連結してあるので、着席者の背中への背もたれの追従性が向上し、座り心地がさらによくなる。
【００６４】
請求項５記載の発明によれば、折れ曲がり部を、側面視波形としてあるので、折れ曲がり部の可撓性が向上するとともに、上部シェルの下端と下部シェルの上端とが、着席者の背中の動きに追従して位置ずれしたときのその位置ずれを吸収することができ、作動の円滑性がさら増す。
【００６５】
請求項６記載の発明によれば、背もたれ板がく字状に屈曲する際の上部シェルの上端部または下部シェルの上端部の移動を円滑に案内することができ、特に、ガイド溝を前方に凸となるように湾曲させたことにより、上部シェルの上端部または下部シェルの上端部を、起立時には前方に移動し、く字状屈曲時には後下方または後上方に移動して、着席者の背中の動きに追従するように、適切に案内することができる。
【００６６】
請求項７記載の発明によれば、部品点数が少なくなり、成形、組立のコストを低減することができる。
【００６７】
請求項８記載の発明によれば、背もたれフレームの傾動と上部シェル及び下部シェルの傾動との組合せにより、リクライニング時において、従来と同様の背もたれ全体を後傾させたリクライニング姿勢と、背上部を若干持ち上げて、視線を無理なく前方または前下方に向けることができる姿勢との２つの態様をとることができ、利便性が向上する。
【００６８】
請求項１０記載の発明によれば、背もたれ板と、背もたれフレームとの間に、補強材を介在させているので、後傾時における姿勢変化に対して背クッション材の追従性がよくなり、座り心地が向上する。
【００６９】
請求項１１記載の発明によれば、着席者の背中の荷重が掛からないときの背もたれ板の側面形状を、中間部が後方に凹入するように屈曲する形状としてあるので、着席者が背凭れに凭れ掛かったときに、背もたれの中間部が後方に弾性撓曲し易くなる。
【図面の簡単な説明】
【図１】
本発明の第１の実施形態の椅子の要部を示す分解斜視図である。
【図２】
同じく、椅子の側面図である。
【図３】
同じく、背もたれを後傾させた状態を示す椅子の側面図である。
【図４】
同じく、椅子の使用状態を示す側面図である。
【図５】
同じく、背もたれを後傾させた使用状態を示す側面図である。
【図６】
同じく、背もたれを後傾させ、背中を伸ばした使用状態を示す側面図である。
【図７】
本発明の第２の実施形態の分解斜視図である。
【図８】
同じく、この実施形態の直立座位状態における側面図である。
【図９】
同じく、後傾座位状態における側面図である。
【図１０】
本発明の第３の実施形態の要部の概略説明図である。
【符号の説明】
(10)背もたれフレーム
(10a)横杆部
(10b)縦杆部
(12)補強材
(12a)屈曲部
(12b)ガイド孔
(14)背もたれ板
(14a)上部シェル
(14b)下部シェル
(14c)折れ曲がり部
(14d)中間部シェル
(16)背クッション材
(18)水平杆
(20)ブラケット
(20a)ガイドピン
(22)止めねじ
(24)スライド孔
(26)取付片
(28)座板
(30)支基
(32)座クッション材
(34)取付部
(34a)スライド溝
(36)水平軸受
(38)水平軸(枢軸)
(40)開口
(40a)水平軸(枢軸)
【手続補正２】
【補正対象書類名】図面
【補正対象項目名】図１
【補正方法】変更
【補正の内容】
【図１】
2000079034.tif 000001